(57)【要約】【課題】周面の一部が径方向に開放された移動環を備えたレンズ鏡筒において、コンパクトでありながら高い遮光性能を備えた遮光構造を提供する。【解決手段】光軸を囲んで周方向に間欠的に形成した複数の筒状周面部を有し該複数の筒状周面部の間を径方向への貫通部とした不完全環状部材を備え、該不完全環状部材における径方向貫通部の後方に位置させて、外径方向に突出する後端遮光部を設けたことを特徴とするレンズ鏡筒。【選択図】図１６
2008015391.tif 000002
【特許請求の範囲】
【請求項１】
光軸を囲んで周方向に間欠的に形成した複数の筒状周面部を有し該複数の筒状周面部の間を径方向への貫通部とした不完全環状部材を備え、該不完全環状部材における前記径方向貫通部の後方に位置させて、外径方向に突出する後端遮光部を設けたことを特徴とするレンズ鏡筒。
【請求項２】
請求項１記載のレンズ鏡筒において、前記不完全環状部材の前方に、該不完全環状部材の径方向貫通部に対して光軸方向に相対摺動可能に嵌まる複数の筒状周面部を有する第２の不完全環状部材を備えているレンズ鏡筒。
【請求項３】
請求項２記載のレンズ鏡筒において、前記不完全環状部材と第２の不完全環状部材の外側に位置する回転環を有し、不完全環状部材と第２の不完全環状部材は該回転環の回転動作に応じて光軸方向に相対移動するレンズ鏡筒。
【請求項４】
請求項３記載のレンズ鏡筒において、前記不完全環状部材の後端遮光部は、前記回転環に対する不完全環状部材の光軸方向の全可動領域において常に回転環よりも後方に位置しているレンズ鏡筒。
【請求項５】
請求項３または４記載のレンズ鏡筒において、前記回転環の後端部に回転規制状態で支持され前記不完全環状部材を光軸方向に直進案内する直進ガイドリングを備え、不完全環状部材の前記後端遮光部は、前記回転環に対する不完全環状部材の光軸方向の全可動領域において常に前記直進ガイドリングよりも後方に位置しているレンズ鏡筒。
【請求項６】
請求項３ないし５のいずれか１項記載のレンズ鏡筒において、前記回転環は、回転しながら光軸方向に移動可能な回転進退環であるレンズ鏡筒。
【請求項７】
請求項６記載のレンズ鏡筒において、
前記回転環から外径方向に突出する回転伝達部に対して回転方向の力を与える回転付与部材と；
前記回転環の外側に位置し、前記回転伝達部が挿入され該回転伝達部に対して回転方向の力が付与されたとき光軸方向の移動分力を生じさせる回転繰り出し溝を有する回転繰出ガイド環と；
を有し、
前記不完全環状部材の後端遮光部は、回転繰出ガイド環の内周面に接近するように突出されているレンズ鏡筒。
【請求項８】
請求項３ないし７のいずれか１項記載のレンズ鏡筒において、前記回転環の内周面にそれぞれ異なる軌跡の第１と第２のカム溝が形成され、不完全環状部材と第２の不完全環状部材に該第１と第２のカム溝の一方と他方に摺動可能に係合する突起が設けられているレンズ鏡筒。
【請求項９】
請求項２ないし８のいずれか１項記載のレンズ鏡筒において、不完全環状部材と第２の不完全環状部材はそれぞれレンズ群を保持しているレンズ鏡筒。
【請求項１０】
請求項３ないし９のいずれか１項記載のレンズ鏡筒において、前記回転環の外側に、前記不完全環状部材と第２の不完全環状部材とは異なる移動環が光軸方向に直進移動可能に支持され、回転環の回転によって該移動環が前記不完全環状部材と第２の不完全環状部材に対して光軸方向に相対移動されるレンズ鏡筒。
【請求項１１】
請求項１ないし１０のいずれか１項記載のレンズ鏡筒において、前記不完全環状部材の周方向に位置を異ならせて３つの前記後端遮光部が設けられているレンズ鏡筒。
【請求項１２】
回転環と、この回転環の内側に光軸方向に直進移動可能に支持され該回転環の回転により光軸方向に相対移動する、光軸方向前方に位置する前方移動環と光軸方向後方に位置する後方移動環とを有するレンズ鏡筒において、
前記前方移動環と後方移動環は、周方向に間欠的に形成した複数の筒状周面部を、相対回転不能かつ光軸方向に相対摺動可能に組み合わせており、後方移動環の後端部に、該後方移動環における前記筒状周面部の非形成領域の後方に位置させて外径方向に突出する後端遮光部を設けたことを特徴とするレンズ鏡筒。
【発明の詳細な説明】
【技術分野】
【０００１】
本発明はレンズ鏡筒に関し、特にレンズ鏡筒における遮光構造に関する。
【背景技術】
【０００２】
レンズ鏡筒においては、正規の光路を通らずに像面側へ向かう漏光や反射光を防ぐべく様々な遮光構造が用いられている。そして、小型化が要求されるレンズ鏡筒においては、遮光構造をできるだけコンパクトに構成することが求められる。また、光軸方向への移動量が大きい可動部材周りの遮光構造では、他の可動部材との干渉を回避しつつ遮光用の部材を設けることが難しい場合もある。
【０００３】
特に、周面全体が閉じられた完全な環状部材であれば光路外への光漏れが起こりにくいが、周面の一部が径方向に開放（開口）された不完全な環状部材では、遮光を必要とする領域が広くなりがちで、省スペース性と高い遮光性能を両立した遮光構造を得ることが難しかった。
【発明の開示】
【発明が解決しようとする課題】
【０００４】
本発明は、周面の一部が径方向に開放された移動環を備えたレンズ鏡筒において、コンパクトでありながら高い遮光性能を備えた遮光構造を提供することを目的とする。
【課題を解決するための手段】
【０００５】
本発明は、光軸を囲んで周方向に間欠的に形成した複数の筒状周面部を有し該複数の筒状周面部の間を径方向への貫通部とした不完全環状部材を備え、該不完全環状部材における径方向貫通部の後方に位置させて外径方向に突出する後端遮光部を設けたことを特徴としている。
【０００６】
不完全環状部材の前方に第２の不完全環状部材を備え、この第２の不完全環状部材が、不完全環状部材の径方向貫通部に対して光軸方向に相対摺動可能に嵌まる複数の筒状周面部を有する形状であることが好ましい。
【０００７】
また、不完全環状部材と第２の不完全環状部材の外側に位置する回転環を有し、該回転環の回転動作に応じて不完全環状部材と第２の不完全環状部材が光軸方向に相対移動することが好ましい。
【０００８】
この場合、不完全環状部材の後端遮光部は、回転環に対する不完全環状部材の光軸方向の全可動領域において常に回転環よりも後方に位置することが好ましい。さらに、不完全環状部材を光軸方向に直進案内する直進ガイドリングが回転環の後端部に支持され、回転環に対する不完全環状部材の光軸方向の全可動領域において常に不完全環状部材の後端遮光部が直進ガイドリングよりも後方に位置されることが好ましい。こうした構成によれば、不完全環状部材の駆動に関わる回転環や直進ガイドリンクに対する後端遮光部の干渉が生じない。
【０００９】
本発明は、不完全環状部材と第２の不完全環状部材を相対移動させる回転環自身が回転しながら光軸方向に移動可能な回転進退環であるタイプのレンズ鏡筒に好適である。この場合、回転環から外径方向に突出する回転伝達部に対して回転方向の力を与える回転付与部材と、回転環の外側に位置し、回転伝達部に回転方向の力が付与されたとき該回転伝達部に対して光軸方向の移動分力を与える回転繰り出し溝を有する回転繰出ガイド環とを設け、不完全環状部材の後端遮光部を回転繰出ガイド環の内周面に接近するように突出させるとよい。回転環自身が前後移動することによって不完全環状部材と第２の不完全環状部材の移動量が大きくなるが、本発明では不完全環状部材の後端遮光部で遮光するため、その外側の回転繰出ガイド環などに大型の遮光部材を設けずに済む。
【００１０】
回転環が不完全環状部材と第２の不完全環状部材を相対移動させるための構造は、例えばカム溝と突起から構成される。すなわち、回転環の内周面にそれぞれ異なる軌跡の第１と第２のカム溝が形成され、不完全環状部材と第２の不完全環状部材に該第１と第２のカム溝の一方と他方に摺動可能に係合する突起を設けるとよい。
【００１１】
不完全環状部材と第２の不完全環状部材の機能は任意に定めることができるが、例えば不完全環状部材と第２の不完全環状部材がそれぞれレンズ群を保持している場合に本発明が有効である。
【００１２】
さらに、回転環の外側に、不完全環状部材と第２の不完全環状部材とは異なる移動環を光軸方向に直進移動可能に支持し、回転環の回転によって該移動環を光軸方向に移動させてもよい。
【００１３】
不完全環状部材に設ける後端遮光部の数や形状は、後方進退環の筒状周面部の形状や要求される遮光性能によって任意に設定できるが、例えば不完全環状部材の周方向に位置を異ならせて３つの後端遮光部を設けるとよい。
【００１４】
本発明はまた、回転環と、この回転環の内側に光軸方向に直進移動可能に支持され該回転環の回転により光軸方向に相対移動する、光軸方向前方に位置する前方移動環と光軸方向後方に位置する後方移動環とを有するレンズ鏡筒において、前方移動環と後方移動環は、周方向に間欠的に形成した複数の筒状周面部を、相対回転不能かつ光軸方向に相対摺動可能に組み合わせており、後方移動環の後端部に、該後方移動環における筒状周面部の非形成領域の後方に位置させて外径方向に突出する後端遮光部を設けたことを特徴としている。
【発明の効果】
【００１５】
以上の本発明によれば、周面の一部が径方向に開放された移動環を備えたレンズ鏡筒において、コンパクトでありながら高い遮光性能を備えた遮光構造を得ることができる。
【発明を実施するための最良の形態】
【００１６】
図１ないし図４に側断面を示すデジタルカメラのズームレンズ鏡筒１１は、撮影時には図１ないし図３のように被写体側へ繰り出されて光軸方向に長くなり、撮影を行わないときは図４のように光軸方向長さが短縮される。図１はズームレンズ鏡筒１１のワイド端撮影状態を示し、図２はテレ端撮影状態を示している。図３は、撮影光軸ＺＰを挟んで上半にワイド端撮影状態、下半にテレ端撮影状態を同時に示した図である。図４の収納状態では、ズームレンズ鏡筒１１は図示を省略したカメラボディ内に沈胴される。
【００１７】
ズームレンズ鏡筒１１は、カメラボディ内に固定されたハウジング１２の内部に、ギヤ進退環（回転付与部材）１３、第１繰出筒（回転付与部材）１４、直進案内環（回転繰出ガイド環）１５、第２繰出筒１６、カム環（回転環、回転進退環）１７、直進ガイドリング１８、３群支持環（不完全環状部材、後方移動環）１９、２群支持環（第２の不完全環状部材、前方移動環）２０、１群支持筒（移動環）２１、１群保持枠３３、１群調整環３５といった複数の環状部材が略同心状に配置された構成となっている。
【００１８】
ズームレンズ鏡筒１１の撮像光学系は、物体側から順に第１レンズ群ＬＧ１、第２レンズ群ＬＧ２、第３レンズ群ＬＧ３、第４レンズ群ＬＧ４、ローパスフィルタＬＧＦ及びＣＣＤ２２を備えている。第３レンズ群ＬＧ３と第４レンズ群ＬＧ４の間には、シャッタと絞りを有するシャッタユニット３４が設けられている。この撮像光学系の構成レンズ群では第１レンズ群ＬＧ１の外径が最も大きく、第２レンズ群ＬＧ２と第３レンズ群ＬＧ３の外径の和が第１レンズ群ＬＧ１の外径サイズと概ね等しくなっている。また、第２レンズ群ＬＧ２と第３レンズ群ＬＧ３は光軸方向の厚みが略等しい。第１レンズ群ＬＧ１からＣＣＤ２２までの各光学要素は、図１ないし図３に示す撮影状態においてそれぞれの中心が共通の撮影光軸（共通光軸）ＺＰ上に位置するように、光軸方向へ直列状に配置される。ズーミングは、第１レンズ群ＬＧ１から第３レンズ群ＬＧ３をそれぞれ撮影光軸ＺＰに沿って所定の軌跡で進退させることによって行い、フォーカシングは同方向への第４レンズ群ＬＧ４の移動で行う。なお、以下の説明中で「光軸方向」とは撮影光軸ＺＰと平行な方向を意味し、被写体側を前方、像面側を後方とする。
【００１９】
ハウジング１２の後部に、図１４に単体形状を示す固定ホルダ２３が固定されている。固定ホルダ２３にはＣＣＤ２２とローパスフィルタＬＧＦが支持されている。ローパスフィルタＬＧＦの前方に位置する第４レンズ群ＬＧ４を保持する４群レンズ枠３０は、ハウジング１２に固定されたガイド軸２４を介して撮影光軸ＺＰと平行な方向に直進案内されており、不図示のフォーカスモータによって光軸方向に進退移動させることができる。
【００２０】
ハウジング１２の内側にはギヤ進退環１３が支持されており、ハウジング１２の内周面に形成した内面ヘリコイド２７に対して、ギヤ進退環１３の外周面に形成したヘリコイド突起２８が嵌っている。図５に示すように、ヘリコイド突起２８の一部の表面に環状ギヤ１３ａが形成されている。ズームレンズ鏡筒１１は不図示のズームモータを備え、このズームモータの駆動力は減速ギヤ機構を介して環状ギヤ１３ａに伝達され、ギヤ進退環１３が回転される。
【００２１】
図５に示すように、ギヤ進退環１３の内周面には回転伝達凹部１３ｂが形成されており、この回転伝達凹部１３ｂに係合する回転伝達突起１４ａが第１繰出筒１４の後端部に設けられている。回転伝達凹部１３ｂと回転伝達突起１４ａはそれぞれ周方向に略等間隔で３つ設けられているが、図５には１つまたは２つのみが図示されている。この３箇所の回転伝達凹部１３ｂと各回転伝達突起１４ａの係合によって第１繰出筒１４はギヤ進退環１３と一体に回転される。
【００２２】
図５に示すように、第１繰出筒１４の後端部には周方向に位置を異ならせて複数の後方突出部１４ｂが形成され、それぞれの後方突出部１４ｂの外周面上に突っ張り突起２９が設けられている。ギヤ進退環１３の前端部には、ヘリコイド突起２８の形成領域の一部を切り欠くようにして複数の前端凹部１３ｃが形成されており、それぞれの前端凹部１３ｃに対して後方突出部１４ｂが嵌っている。突っ張り突起２９はヘリコイド突起２８よりも小型の突起であり、後方突出部１４ｂと前端凹部１３ｃの嵌合状態では、突っ張り突起２９がヘリコイド突起２８の一部を補完して一体的なヘリコイド突起状の形態になる（図１ないし図４参照）。ギヤ進退環１３の前端面には周方向に略等間隔で３つのばね収納孔１３ｄが形成されている。それぞれのばね収納孔１３ｄ内に離間付勢ばね２５が収納されている。離間付勢ばね２５は圧縮コイルばねからなり、その先端部がばね収納孔１３ｄから突出して第１繰出筒１４の後端面に当接する（図１ないし図４）。離間付勢ばね２５は、圧縮された状態でギヤ進退環１３と第１繰出筒１４の間に保持される。圧縮された離間付勢ばね２５は、復元しようとする力によってギヤ進退環１３を光軸方向後方に付勢し、第１繰出筒１４を光軸方向前方に付勢する。この付勢力によって、ギヤ進退環１３に設けたヘリコイド突起２８と、第１繰出筒１４に設けた突っ張り突起２９がそれぞれ、内面ヘリコイド２７を構成するリード凸部に対して押し付けられる。
【００２３】
ギヤ進退環１３は、ズームギヤ３１によって回転力が付与されると、内面ヘリコイド２７とヘリコイド突起２８の摺接関係によって回転しながら光軸方向に移動する。このとき、離間付勢ばね２５の付勢力によってヘリコイド突起２８が内面ヘリコイド２７に押しつけられているので、ギヤ進退環１３はハウジング１２に対してガタなく移動することができる。また第１繰出筒１４は、突っ張り突起２９が離間付勢ばね２５の付勢力によって押しつけられた内面ヘリコイド２７のリード面の案内を受けることにより、ギヤ進退環１３と共に回転しながら光軸方向へ移動される。
【００２４】
ギヤ進退環１３と第１繰出筒１４の内側には直進案内環１５が支持されている。直進案内環１５は、ハウジング１２の内周面に形成した直線溝１２ａ（図５）を介して光軸方向に直進案内されており、その外周面には光軸方向に位置を異ならせて複数の外面突起１５ａ、１５ｂと周方向溝１５ｅが形成されている。外面突起１５ａは、ギヤ進退環１３の内周面に形成した周方向溝１３ｅに嵌り、外面突起１５ｂは、第１繰出筒１４の内周面に形成した周方向溝１４ｃに嵌り、周方向溝１５ｅに対しては、第１繰出筒１４の内周面に形成した内面突起１４ｅが嵌っている。この外面突起１５ａ、１５ｂと周方向溝１３ｅ、１４ｃ、周方向溝１５ｅと内面突起１４ｅの係合関係によって、直進案内環１５はギヤ進退環１３及び第１繰出筒１４と共に光軸方向に移動する。
【００２５】
直進案内環１５には内周面と外周面を貫通する貫通ガイド溝１５ｃが形成され、貫通ガイド溝１５ｃに対してカム環１７の外周面に設けた外径突起１７ａが摺動可能に嵌っている。貫通ガイド溝１５ｃは、撮影光軸ＺＰに対して斜行するリード溝部分１５ｃ-Ｌと、撮影光軸ＺＰを中心とする環状をなす周方向溝部分１５ｃ-Ｓとを有している。外径突起１７ａはさらに、第１繰出筒１４の内周面に形成した撮影光軸ＺＰと平行な回転伝達溝１４ｄ（図５）に係合しており、カム環１７は第１繰出筒１４と共に回転される。カム環１７は、外径突起１７ａが貫通ガイド溝１５ｃのリード溝部分１５ｃ-Ｌ内に位置するとき、該リード溝部分１５ｃ-Ｌの案内を受けることによって、直進案内環１５に対して回転しながら光軸方向に進退される。
【００２６】
直進案内環１５は、その内周面に形成した撮影光軸ＺＰと平行な直線溝１５ｄによって、第２繰出筒１６と直進ガイドリング１８を光軸方向に直進案内している。第２繰出筒１６と直進ガイドリング１８はそれぞれ、直線溝１５ｄに摺動自在に係合する直進ガイド突起１６ａと直進ガイド突起１８ａ（図１ないし図４）を外径方向に突出させている。第２繰出筒１６の後端部付近の内周面に設けた回転ガイド突起１６ｂが、カム環１７の外周面に形成した周方向溝１７ｂに摺動自在に係合し、直進ガイドリング１８に設けた回転ガイド突起１８ｂが、カム環１７の内周面に形成した周方向溝１７ｃに摺動自在に係合し、これら周方向溝１７ｂ、１７ｃと回転ガイド突起１６ｂ、１８ｂの係合関係によって、第２繰出筒１６と直進ガイドリング１８はそれぞれ、カム環１７に対して相対回転可能かつ光軸方向に一体に移動するように支持されている。
【００２７】
回転ガイド突起１８ｂを介してカム環１７の後端部に支持された直進ガイドリング１８は、カム環１７の内周面側において前方に向けて延設された直進案内キー１８ｃを有している。直進案内キー１８ｃは、その両側に撮影光軸ＺＰと平行なガイド面を有し、このガイド面によって３群支持環１９を光軸方向に直進案内する。図１０、図１１、図１３、図１５ないし図１８などに示すように、３群支持環１９は周方向へ間欠的に位置を異ならせて設けた３つの部分円筒部（筒状周面部）１９ａを有しており、それぞれの部分円筒部１９ａに、直進案内キー１８ｃが摺動可能に嵌る直進案内溝１９ｂが形成されている。３群支持環１９は３つの部分円筒部１９ａの間が径方向への貫通部となっており、２群支持環２０は、この３群支持環１９の径方向貫通部に対して光軸方向に摺動可能に嵌る３つの部分円筒部（筒状周面部）２０ａを有している（図７、図８、図１５ないし図２３参照）。２群支持環２０のそれぞれの部分円筒部２０ａには、光軸方向に向けて直進案内溝２０ｅが形成されており、この直進案内溝２０ｅに対して１群支持筒２１に設けた直進案内キー（不図示）が摺動可能に嵌まっている。後述するように、１群支持筒２１はハウジング１２に対する相対回転が規制されており、この１群支持筒２１を介して、２群支持環２０は光軸方向に直進案内されている。
【００２８】
カム環１７の内周面に形成した２群案内カム溝１７ｍ-２と３群案内カム溝１７ｍ-３に対し、２群支持環２０の外周面に設けた２群用カムフォロア２０ｎと３群支持環１９の外周面に設けた３群用カムフォロア１９ｎがそれぞれ係合している。３群支持環１９と２群支持環２０はそれぞれ光軸方向に直進案内されているため、カム環１７が回転すると、２群案内カム溝１７ｍ-２と３群案内カム溝１７ｍ-３の形状に従って、３群支持環１９と２群支持環２０がそれぞれ光軸方向へ所定の軌跡で移動する。
【００２９】
直進案内環１５によって光軸方向へ直進案内された第２繰出筒１６は、その内周面に形成された直線溝１６ｃを介して１群支持筒２１を光軸方向へ直進案内している。１群支持筒２１は内径方向に突出する１群用カムフォロア２１ｎを有し、この１群用カムフォロア２１ｎが、カム環１７の外周面に形成した１群案内カム溝１７ｍ-１に摺動可能に嵌合している。１群支持筒２１内には１群調整環３５が支持されており、１群調整環３５の内側に１群保持枠３３が支持されている。１群保持枠３３は第１レンズ群ＬＧ１を保持している。
【００３０】
第２レンズ群ＬＧ２は２群保持枠３９に保持され、この２群保持枠３９が２群退避枠４０に支持されている。２群支持環２０は、３つの部分円筒部２０ａを接続するリング状及びフランジ状の接続部２０ｂを有し、この接続部２０ｂに軸支持部２０ｃ（図９、図１９）が形成されている、図９に示すように、２群支持環２０には、軸支持部２０ｃの前方に位置させて軸支持板４２が固定され、軸支持部２０ｃと軸支持板４２に形成した軸支持穴に対して２群回動軸４１が挿通固定されている。固定状態の２群回動軸４１の軸線方向は、撮影光軸ＺＰと略平行である。２群退避枠４０は、２群保持枠３９を保持する保持環部４０ａと、該保持環部４０ａから外径方向に延設された筒状の軸受アーム部４０ｂを有し、この軸受アーム部４０ｂの先端部に形成した軸受穴が、２群回動軸４１に対して回動自在に嵌っている。この構造により、２群退避枠４０は、２群支持環２０に対して２群回動軸４１を中心として回動可能に支持される。詳細には、２群退避枠４０は、２群回動軸４１を中心として、第２レンズ群ＬＧ２の光軸を撮影光軸ＺＰと一致させる撮影位置（図１ないし図３、図７、図８、図１５及び図２７）と、第２レンズ群ＬＧ２を撮影光軸ＺＰから上方に退避させる上方退避位置（図４、図１７及び図２９）の間を揺動することができる。２群退避枠４０は、図示を省略する２群枠付勢ばねによって撮影位置へ向けて回動付勢されている。
【００３１】
３群支持環１９の内側には、第３レンズ群ＬＧ３を保持する３群退避枠５０が支持される。３群支持環１９は、３つの部分円筒部１９ａを接続するリング状及びフランジ状の接続部１９ｃを有し、この接続部１９ｃに軸支持部１９ｄ（図１２）が形成されている、図１２に示すように、３群支持環１９には、軸支持部１９ｄの前方に位置させて軸支持板４３が固定され、軸支持部１９ｄと軸支持板４３に形成した軸支持穴に対して３群回動軸５１が挿通固定されている。固定状態の３群回動軸５１の軸線方向は、撮影光軸ＺＰと略平行である。３群退避枠５０は、第３レンズ群ＬＧ３を保持する保持環部５０ａと、該保持環部５０ａから外径方向に延設された筒状の軸受アーム部５０ｂを有し、この軸受アーム部５０ｂに形成した軸受穴が、３群回動軸５１に対して回動自在に嵌っている。この構造により、３群退避枠５０は、３群支持環１９に対して３群回動軸５１を中心として回動可能に支持される。詳細には、３群退避枠５０は、３群回動軸５１を中心として、第３レンズ群ＬＧ３の光軸を撮影光軸ＺＰと一致させる撮影位置（図１ないし図３、図１０、図１１、図１５及び図１６）と、第３レンズ群ＬＧ３を撮影光軸ＺＰから下方に退避させる下方退避位置（図４、図１７及び図２９）の間を揺動することができる。３群退避枠５０は、図示を省略する３群枠付勢ばねによって撮影位置へ向けて回動付勢されている。
【００３２】
図１３に示すように、３群支持環１９は前方に向けて突設された２群退避カム突起５４を有し、図１４に示すように、固定ホルダ２３は前方に向けて突設された３群退避カム突起５５を有している。２群支持環２０と３群支持環１９が所定距離以上に接近したときに、３群支持環１９に設けた２群退避カム突起５４が２群退避枠４０の軸受アーム部４０ｂに当接し、２群退避カム突起５４の先端部に形成したカム面の作用によって２群退避枠４０が撮影位置から上方退避位置へ回動される（図１７参照）。同様に、固定ホルダ２３と３群支持環１９が所定距離以上に接近したときに、固定ホルダ２３に設けた３群退避カム突起５５が３群退避枠５０に当接し、３群退避カム突起５５の先端部に形成したカム面の作用によって３群退避枠５０が撮影位置から下方退避位置へ回動される。
【００３３】
２群支持環２０は、フランジ状をなす接続部２０ｂの中央部に、光軸方向に貫通する開口部２０ｈを有している。図１９ないし図２３に示すように、開口部２０ｈは、撮影光軸ＺＰが通る位置から上方に向けて形成された２群移動開口部２０ｈ-１と、この２群移動開口部２０ｈ-１の下部に連続する幅狭の３群進入開口部２０ｈ-２とを有する。２群移動開口部２０ｈ-１内には２群退避枠４０の保持環部４０ａが進入しており、上述の撮影位置と上方退避位置の間で２群退避枠４０が揺動するとき、保持環部４０が２群移動開口部２０ｈ-１内を移動する。３群進入開口部２０ｈ-２は、３群退避枠５０の保持環部５０ａが進入可能な開口幅（開口径）を有する。
【００３４】
３群支持環１９は、フランジ状をなす接続部１９ｃの中央部に、撮影光軸ＺＰを囲む円形状の開口部１９ｈを有している。開口部１９ｈは、３群退避枠５０が上述の撮影位置に位置するとき、保持環部５０ａ（第３レンズ群ＬＧ３）の後方に位置して撮影光束を通過させる貫通穴である。
【００３５】
以上の構造からなるズームレンズ鏡筒１１は次のように動作する。図１７及び図２９は、図４の鏡筒収納状態における２群支持環２０と３群支持環１９、及び２群退避枠４０（第２レンズ群ＬＧ２）と３群退避枠５０（第３レンズ群ＬＧ３）の位置関係を示している。同図から分かるように、鏡筒収納状態では２群支持環２０と３群支持環１９が接近しており、互いの部分円筒部１９ａ、２０ａの光軸方向におけるオーバーラップ量が最大になっている。そのため、２群支持環２０内の２群退避枠４０は、３群支持環１９に設けた２群退避カム突起５４に押圧されて、撮影光軸ＺＰに対して上方に変位した上方退避位置に退避されている。また、３群支持環１９が固定ホルダ２３に接近しており、３群支持環１９内の３群退避枠５０は、固定ホルダ２３に設けた３群退避カム突起５５に押圧されて撮影光軸ＺＰから下方に外れた下方退避位置に退避されている。このとき、２群支持環２０と３群支持環１９の接近に応じて、３群退避枠５０の保持環部５０ａが２群支持環２０の３群進入開口部２０ｈ-２（収納スペース）に進入されており、図４及び図１７に示すように、第２レンズ群ＬＧ２と第３レンズ群ＬＧ３は互いに上下方向に隣接して収納され、光軸方向の収納長がコンパクトになっている。
【００３６】
図４及び図１８に示すように、鏡筒収納状態ではさらに、１群保持枠３３がその一部を３群支持環１９の前端部内に進入させるまで後退しており、第２レンズ群ＬＧ２と第３レンズ群ＬＧ３の直前位置に隣接して第１レンズ群ＬＧ１が収納される。第１レンズ群ＬＧ１は、上下方向に重なった状態の第２レンズ群ＬＧ２と第３レンズ群ＬＧ３の外径サイズの和に略等しい径を有し、３群支持環１９と２群支持環２０における第２レンズ群ＬＧ２と第３レンズ群ＬＧ３の前方スペースを塞いでスペース効率良く収納される。また、第４レンズ群ＬＧ４を保持する４群レンズ枠３０は、鏡筒収納状態ではＣＣＤ２２側の後方移動端まで後退されている（図４）。
【００３７】
この鏡筒収納状態において不図示のメインスイッチをオンすると、ズームモータが鏡筒繰出方向に駆動されて、ギヤ進退環１３が内面ヘリコイド２７とヘリコイド突起２８の摺接関係によって回転しながら前方へ移動される。回転伝達凹部１３ｂと回転伝達突起１４ａの係合によってギヤ進退環１３と結合された第１繰出筒１４は、突っ張り突起２９が内面ヘリコイド２７に案内されて、ギヤ進退環１３と共に回転しながら前方へ移動される。直進案内環１５は、ギヤ進退環１３及び第１繰出筒１４と共に前方に直進移動する。また、第１繰出筒１４から回転力が付与されるカム環１７も前方に移動される。このカム環１７の前方移動量は、直進案内環１５の直進移動分と、貫通ガイド溝１５ｃのリード溝部分１５ｃ-Ｌによる繰出分との合算値である。
【００３８】
カム環１７が前方に移動されると、該カム環１７に支持された３群支持環１９も前方に移動する。すると、鏡筒収納状態で第３レンズ群ＬＧ３を下方退避位置へ退避させていた３群退避枠５０は、３群支持環１９がズーム領域まで繰り出される途中で固定ホルダ２３の３群退避カム突起５５から離れて、３群枠付勢ばね（不図示）の付勢力によって第３レンズ群ＬＧ３の光軸を撮影光軸ＺＰと一致させる撮影位置（図１５、図１６）に回動する。また、鏡筒繰出動作によってカム環１７が回転すると、その内側では、光軸方向に直進案内された２群支持環２０と３群支持環１９が、２群案内カム溝１７ｍ-２と２群用カムフォロア２０ｎ、３群案内カム溝１７ｍ-３と３群用カムフォロア１９ｎの関係によって、それぞれ光軸方向に所定の軌跡で移動される。図１５及び図１６に示すように、２群支持環２０と３群支持環１９は、収納状態からの鏡筒繰出時には、カム環１７のカム溝形状によって互いに離間する方向に相対移動する。その結果、鏡筒収納状態で第２レンズ群ＬＧ２を上方退避位置へ退避させていた２群退避枠４０は、２群支持環２０がズーム領域まで繰り出される途中で３群支持環１９の２群退避カム突起５４から離れて、２群枠付勢ばね（不図示）の付勢力によって第２レンズ群ＬＧ２の光軸を撮影光軸ＺＰと一致させる撮影位置に回動する。以後、ズームレンズ鏡筒１１を再び収納位置に移動させるまでは、３群退避枠５０と２群退避枠４０はそれぞれ撮影位置に保持される。
【００３９】
また、カム環１７が回転すると、該カム環１７の外側では、第２繰出筒１６を介して直進案内された１群支持筒２１が、１群案内カム溝１７ｍ-１と１群用カムフォロア２１ｎの関係によって光軸方向に所定の軌跡で移動され、鏡筒収納時よりも第１レンズ群ＬＧ１と第２レンズ群ＬＧ２の間隔が広くなる（図１６）。
【００４０】
すなわち、撮像面（ＣＣＤ２２の受光面）に対する第１レンズ群ＬＧ１の繰出位置は、ハウジング１２に対するカム環１７の前方移動量と、該カム環１７に対する１群支持筒２１のカム繰出量との合算値として決まる。また、第２レンズ群ＬＧ２の繰出位置は、ハウジング１２に対するカム環１７の前方移動量と、該カム環１７に対する２群支持環２０のカム繰出量との合算値として決まる。同様に、第３レンズ群ＬＧ３の繰出位置は、ハウジング１２に対するカム環１７の前方移動量と、該カム環１７に対する３群支持環１９のカム繰出量との合算値として決まる。ズーミングは、この第１レンズ群ＬＧ１、第２レンズ群ＬＧ２及び第３レンズ群ＬＧ３が互いの空気間隔を変化させながら撮影光軸ＺＰに沿って移動することにより行われる。
【００４１】
図４の収納位置から鏡筒繰出を行うと、まず図３の上半断面や図１に示すワイド端の繰出状態になり、さらにズームモータを鏡筒繰出方向に駆動させると、撮影光学系の焦点距離が徐々に長焦点側に変化し、最終的に図３の下半断面や図２に示すテレ端の繰出状態となる。ワイド端からテレ端までの撮影領域では、ギヤ進退環１３と第１繰出筒１４は、収納状態から撮影可能状態（ワイド端）までの繰出時と同様に、ズームモータの駆動に応じて、ハウジング１２の内面ヘリコイド２７に案内されて回転しながら光軸方向へ移動する。このときカム環１７の外径突起１７ａが貫通ガイド溝１５ｃのリード溝部分１５ｃ-Ｌから周方向溝部分１５ｃ-Ｓに移動し、カム環１７は直進案内環１５に対しては光軸方向に相対移動しなくなるが、直進案内環１５がギヤ進退環１３及び第１繰出筒１４と共に光軸方向に移動されるので、カム環１７もハウジング１２に対して光軸方向に相対移動しながら回転する。
【００４２】
ズームレンズ鏡筒１１がワイド端からテレ端までの撮影可能状態にあるとき、測距手段によって得られた被写体距離情報に応じてＡＦモータを駆動することにより、４群レンズ枠３０が撮影光軸ＺＰに沿って移動してフォーカシングが実行される。
【００４３】
メインスイッチをオフすると、ズームモータが鏡筒収納方向に駆動され、ズームレンズ鏡筒１１は上記の繰出動作とは逆の収納動作を行い、図４の収納状態になる。この収納位置への移動の途中で、３群退避枠５０が、固定ホルダ２３に設けた３群退避カム突起５５の作用によって撮影位置から下方退避位置に回動されつつ３群支持環１９と共に後退し、２群退避枠４０も、３群支持環１９に設けた２群退避カム突起５４の作用によって撮影位置から上方退避位置に回動されつつ２群支持環２０と共に後退する。
【００４４】
上述のように、ズームレンズ鏡筒１１では収納状態において第２レンズ群ＬＧ２と第３レンズ群ＬＧ３が上下方向に重なり合うことで収納長がコンパクトになっており、２群支持環２０には、２群退避枠４０と３群退避枠５０の収納動作を妨げない形状で開口部２０ｈが形成されている。開口部２０ｈのうち２群移動開口部２０ｈ-１は、撮影位置と上方退避位置との間での２群退避枠４０（保持環部４０ａ）の揺動を許容する形状をなし、その下方の３群進入開口部２０ｈ-２は、３群退避枠５０の保持環部５０ａを進入させて収納する形状をなしている。収納状態では上下方向に重なっている第２レンズ群ＬＧ２と第３レンズ群ＬＧ３は、撮影状態では撮影光軸ＺＰ上に並んで位置されるので、２群移動開口部２０ｈ-１の上部と３群進入開口部２０ｈ-２は空きスペースとなる。ズームレンズ鏡筒１１は、２群支持環２０における当該空きスペースを通る光線を遮断する遮光構造を備えている。この遮光構造は、２群移動開口部２０ｈ-１の上部側に配置される上部遮光部材４５と、３群進入開口部２０ｈ-２側に配置される下部遮光部材４６とからなっている。
【００４５】
図６ないし図８に示すように、上部遮光部材４５は、２群退避枠４０の内周面に沿う円弧状（三日月状）をなす遮光壁部４５ａの一端部と他端部に位置決め穴４５ｂと位置決め溝４５ｃを有している。２群支持環２０の接続部２０ｂには、位置決め穴４５ｂが係合する位置決めボス２０ｄと、位置決め溝４５ｃが係合する位置決めボス（図示省略）が設けられ、これらを係合させた状態で２群支持環２０に対して上部遮光部材４５が取り付けられる。図８から分かるように、２群退避枠４０が撮影光軸ＺＰ上の撮影位置に位置するとき、上部遮光部材４５の遮光壁部４５ａが、２群支持環２０の内周面と、２群退避枠４０の保持環部４０ａの外縁部とに挟まれる２群移動開口部２０ｈ-１の上部空間を塞ぎ、当該上部空間を通って像面（ＣＣＤ２２）側へ向かう光線を遮断する。図４、図２７及び図２９に示すように、上部遮光部材４５の遮光壁部４５ａは２群退避枠４０の保持環部４０ａより若干光軸方向後方に位置しており、２群退避枠４０が上方退避位置に移動するとき、遮光壁部４５ａが保持環部４０ａと干渉しないようになっている。
【００４６】
図１９ないし図３０に下部遮光部材４６の詳細構造を示す。下部遮光部材４６は、前後方向へスライド可能に２群支持環２０に支持されている。２群支持環２０には、３群進入開口部２０ｈ-２を挟む左右位置に直進ガイド溝２０ｆと直進ガイドレール２０ｇが形成され、直進ガイド溝２０ｆの近傍にばね受け部２０ｋが形成されている。直進ガイド溝２０ｆと直進ガイドレール２０ｇはそれぞれ撮影光軸ＺＰと平行な方向への長溝で、その前端部（被写体側）が開放され後端部（像面側）が塞がれている。図２３ないし図２６に示すように、直進ガイドレール２０ｇは、３群進入開口部２０ｈ-２に臨む一側部も開放されており、この３群進入開口部２０ｈ-２に臨む内径部２０ｇ-１の幅が狭く、奥側の外径部２０ｇ-２が幅広となったＬ字状の一様断面形状をなしている。より詳細には、内径部２０ｇ-１と外径部２０ｇ-２の境界には、３群進入開口部２０ｈ-２（内径部２０ｇ-１）側から離れるにつれて徐々に開口幅を広くする傾斜面が形成されている。
【００４７】
ばね受け部２０ｋは、前後方向に離間して対向する前方支持壁部２０ｋ-１と後方支持壁部２０ｋ-２を有している。後方支持壁部２０ｋ-２には後方に向けて開口する貫通穴２０ｋ-３（図１９、図２２）が形成されており、３群支持環１９には、この貫通穴２０ｋ-３を通過可能な押圧突起１９ｅ（図１０、図１１、図１３）が突設されている。
【００４８】
下部遮光部材４６は、２群支持環２０の内周面に沿う円弧状（三日月状）の遮光壁部４６ａを有し、遮光壁部４６ａの一方の周方向端部にばね受け部４６ｄを有し、他方の周方向端部に直進ガイドキー４６ｃを有し、ばね受け部４６ｄの近傍に直進ガイド突起４６ｂを有している。直進ガイド突起４６ｂは直進ガイド溝２０ｆに摺動自在に係合し、直進ガイドキー４６ｃは直進ガイドレール２０ｇに摺動自在に係合し、この直進ガイド突起４６ｂと直進ガイドキー４６ｃがそれぞれ直進ガイド溝２０ｆと直進ガイドレール２０ｇ内を摺動することにより下部遮光部材４６は前後方向に移動される。
【００４９】
図２３ないし図２６に示すように、直進ガイドキー４６ｃは直進ガイドレール２０ｇの断面形状に対応するＬ字状の断面形状を有している。詳細には、直進ガイドキー４６ｃの基部は直進ガイドレール２０ｇの内径部２０ｇ-１に対応する幅狭形状であり、直進ガイドキー４６ｃの先端部は直進ガイドレール２０ｇの外径部２０ｇ-２に対応する幅広形状になっている。さらに、直進ガイドキー４６ｃは、直進ガイドレール２０ｇの内径部２０ｇ-１と外形部２０ｇ-２の境界部の傾斜面に摺接する傾斜面を有している。そのため、直進ガイドキー４６ｃと直進ガイドレール２０ｇが係合した状態では、直進ガイドキー４６ｃは、直進ガイドレール２０ｇの長手方向（撮影光軸ＺＰと平行な方向）へのみ摺動が可能で、それ以外の方向、すなわち３群進入開口部２０ｈ-２側に引き抜いたり、直進ガイドレール２０ｇに対して傾けたりするような直進ガイドキー４６ｃの移動は規制される。この直進ガイドキー４６ｃと直進ガイドレール２０ｇの係合関係により、下部遮光部材４６は、２群支持環２０に対して倒れや脱落を生ずることなく、確実に前後方向に直進案内される。
【００５０】
直進ガイド突起４６ｂが直進ガイド溝２０ｆに係合し、直進ガイドキー４６ｃが直進ガイドレール２０ｇに係合するとき、下部遮光部材４６のばね受け部４６ｄが２群支持環２０のばね受け部２０ｋ内に位置する。ばね受け部４６ｄと前方支持壁部２０ｋ-１の間には遮光部材付勢ばね４７が挿入されている。遮光部材付勢ばね４７は圧縮コイルばねからなり、下部遮光部材４６を後方に向けて押圧付勢する。下部遮光部材４６の後方移動端は、直進ガイド突起４６ｂと直進ガイドキー４６ｃがそれぞれ直進ガイド溝２０ｆと直進ガイドレール２０ｇの後端壁に当接することによって決まる。
【００５１】
下部遮光部材４６を２群支持環２０に組み付ける際には、ばね受け部４６ｄをばね受け部２０ｋ内に位置させた状態で、直進ガイド溝２０ｆと直進ガイドレール２０ｇのそれぞれの前端開口部から直進ガイド突起４６ｂと直進ガイドキー４６ｃを挿入する。そしてばね受け部４６ｄと前方支持壁部２０ｋ-１の間に遮光部材付勢ばね４７を挿入すると、直進ガイド溝２０ｆと直進ガイドレール２０ｇがそれぞれ直進ガイド溝２０ｆと直進ガイドレール２０ｇの後端部側に向けて摺動移動されて、下部遮光部材４６が２群支持環２０に保持される。
【００５２】
撮影状態にあるとき、２群支持環２０の３群進入開口部２０ｈ-２には３群退避枠５０が進入しておらず、図１ないし図３、図１５、図２０、図２５、図２７及び図２８に示すように、下部遮光部材４６は遮光部材付勢ばね４７の付勢力によって後方移動端に保持されている。このとき、特に図２７から分かるように、下部遮光部材４６の遮光壁部４６ａは、光軸方向において２群退避枠４０の保持環部４０ａとほぼ同じ位置にあり、保持環部４０ａの下方を通って３群進入開口部２０ｈ-２を通過しようとする光線を遮断する遮光壁として機能する。すなわち、下部遮光部材４６の後方移動端は、第２レンズ群ＬＧ２を通らずに迂回する有害光線を遮断する光線遮断位置である。図８に示すように、下部遮光部材４６の遮光壁部４６ａは、２群支持環２０の内周面に沿う円弧状の外縁形状と、撮影位置にある第２レンズ群ＬＧ２（２群退避枠４０の保持環部４０ａ）の外周形状に沿う円弧状の内縁形状とを組み合わせた三日月状の形状をなしており、第２レンズ群ＬＧ２を通らずに３群進入開口部２０ｈ-２を迂回して像面（ＣＣＤ２２）側へ向かう有害な光線を確実に遮断することができる。
【００５３】
撮影状態から収納状態に切り換わるとき、図４、図１７、図２１、図２２、図２６ないし図２８に示すように、２群支持環２０と３群支持環１９の接近動作に伴って、下部遮光部材４６が上述の光線遮断位置から前方に押圧移動される。具体的には、図３０に示すように、貫通穴２０ｋ-３を通してばね受け部２０ｋ内に進入してきた３群支持環１９の押圧突起１９ｅが、ばね受け部４６ｄを前方に押圧する。この押圧動作により、遮光部材付勢ばね４７の付勢力に抗して下部遮光部材４６が前方に移動される。そして、前方に退避した下部遮光部材４６の遮光壁部４６ａが元あった位置（収納スペース）に、３群退避カム突起５５の作用によって下方退避位置へ退避回動された３群退避枠５０の保持環部５０ａが進入し、図２９に示すように、第２レンズ群ＬＧ２と第３レンズ群ＬＧ３が上下に重なる位置まで３群退避枠５０を収納させることができる。このとき第３レンズ群ＬＧ３が下部遮光部材４６の遮光壁部４６ａに接触しないように、３群退避枠５０の保持環部５０ａの前端部は、第３レンズ群ＬＧ３の前端部よりも前方に突出させて形成されている。
【００５４】
収納状態から撮影状態になるときは、２群支持環２０と３群支持環１９の光軸方向距離が離れて押圧突起１９ｅによるばね受け部４６ｄの押圧状態が解除されると、下部遮光部材４６は遮光部材付勢ばね４７の付勢力によって後方移動端へ移動され、上述した光線遮断位置に戻る。
【００５５】
以上のように、本実施形態のズームレンズ鏡筒１１では、下部遮光部材４６を光軸方向への可動の遮光部材とし、撮影状態では３群進入開口部２０ｈ-２を通る光線を遮断する位置に遮光壁部４６ａを位置させ、撮影状態から収納状態になるときには下部遮光部材４６を光軸方向にスライドさせて３群退避枠５０の保持環部５０ａを干渉することなく収納させるようにしている。つまり、２群支持環２０内に第３レンズ群ＬＧ３の収納スペースを確保しつつ、撮影状態では当該収納スペースを遮光することができ、収納状態でのコンパクト性と撮影状態での高い画像品質とを両立させることが可能となった。なお、鏡筒収納状態では撮影を行わないので、下部遮光部材４６が光線遮断位置から前方に移動されても実用上の問題はない。
【００５６】
また、下部遮光部材４６の直進案内構造として、光軸方向の前後摺動のみを許し、その他の方向の移動を規制するＬ字状断面形状の直進ガイドキー４６ｃと直進ガイドレール２０ｇを用いているため、シンプルな構造でありながら下部遮光部材４６の倒れを防いで安定した直進案内を行うことができる。すなわち、下部遮光部材４６は、遮光壁部４６ａの一端部に設けたばね受け部４６ｄにおいて遮光部材付勢ばね４７の付勢力を受けているが、このばね受け部４６ｄとは反対側の端部にＬ字状断面の直進ガイドキー４６ｃと直進ガイドレール２０ｇを配することにより、遮光部材付勢ばね４７の付勢力が偏った位置で作用していても、下部遮光部材４６の倒れは生じない。一般に、直進部材のガイド構造では、バランス維持のため、付勢手段の付勢力を均等に受ける態様で複数の直進案内部が設けられる。例えば、レンズ鏡筒における直進環のガイド構造では、周方向に等配分で３つ（もしくはそれ以上）の直進案内部が設けられることが多い。これに対し本実施形態で下部遮光部材４６を直進案内している直進ガイドキー４６ｃと直進ガイドレール２０ｇによれば、一箇所の直進案内部でも高精度な直進案内を行うことができるのでスペース的に有利であり、レンズ鏡筒の小型化に寄与している。
【００５７】
以上のように、２群支持環２０の内側においては、第２レンズ群ＬＧ２を通らずにその上下の開口部２０ｈを通って像面側に向かおうとする光線を、上部遮光部材４５と下部遮光部材４６によって遮断することができる。一方、２群支持環２０と３群支持環１９の関係においては、部分円筒部１９ａと部分円筒部２０ａの側面部を摺動させて２群支持環２０の直進案内を行っている。この直進案内構造は、直進ガイドリング１８を大型化したり、直進案内部材の数を増やしたりすることなく２群支持環２０と３群支持環１９の相対移動量を大きくできるという利点がある。その反面、図１５及び図１６のように部分円筒部１９ａと部分円筒部２０ａのオーバーラップ量が小さくなった（オーバーラップしなくなった）状態では、部分円筒部１９ａと部分円筒部２０ａの隙間（径方向への貫通部）から３群支持環１９の外側に漏れる光線の処理を考慮する必要がある。この３群支持環１９の外側に向かう光線を遮断するべく、３群支持環１９には後端遮光羽根部（後端遮光部）１９ｆが設けられている。
【００５８】
図１０、図１１、図１３ないし図１８に示すように、後端遮光羽根部１９ｆは、３群支持環１９の後端部から外径方向に突出するフランジ状部として３群支持環１９と一体に形成されており、周方向位置が異なる３つのパート（１９ｆ-１、１９ｆ-２、１９ｆ-３）に分けられている。図１１に示すように、後端遮光羽根部１９ｆのそれぞれのパート（１９ｆ-１、１９ｆ-２、１９ｆ-３）は、３群支持環１９のうち３つの部分円筒部１９ａが設けられていない周方向領域、すなわち径方向への貫通部の後方に設けられている。そのため、第３レンズ群ＬＧ３を通らずに部分円筒部１９ａの間の径方向貫通部を抜けて像面（ＣＣＤ２２）側へ進もうとする光線を、この後端遮光羽根部１９ｆによって遮断することができる。
【００５９】
ズームレンズ鏡筒１１において、第４レンズ群ＬＧ４はフォーカスモータによって独立して移動され、残る第１レンズ群ＬＧ１、第２レンズ群ＬＧ２、第３レンズ群ＬＧ３がズームモータによって移動される変倍レンズ群を構成する。図１ないし図３から分かるように、この３つの変倍レンズ群（ＬＧ１、ＬＧ２及びＬＧ３）は共通のカム環１７によってその相対移動が行われ、このうちカム環１７によって駆動される最も後方の第３レンズ群ＬＧ３を支持する３群支持環１９の後端部に後端遮光羽根部１９ｆを設けている。各変倍レンズ群ＬＧ１、ＬＧ２及びＬＧ３の駆動に関係するカム環１７周りの構成部材としては、３群支持環１９以外にも、直進案内環１５や直進ガイドリング１８などがある。しかし、省スペース性や遮光性能を考慮した場合、変倍光学系の遮光手段は３群支持環１９の後端遮光羽根部１９ｆという形で設けることが最も好ましい。まず、直進案内環１５はカム環１７よりさらに外側に位置しており、その遮光面積が大きくなるので、より大型の遮光部材を要することになる。また、直進ガイドリング１８に関しては、図１ないし図３から分かるように、直進ガイドリング１８に対する３群支持環１９の相対移動量が大きく、３群支持環１９は直進ガイドリング１８の後方に突出するため、直進ガイドリング１８に遮光部材を設けた場合、３群支持環１９と干渉するおそれがある。具体的には、直進ガイドリング１８に設ける遮光部材は、３群支持環１９の動作を妨げないように布状あるいは膜状の可撓性部材で形成することが考えられるが、すると３群支持環１９との間に遮光部材が巻き込まれる不具合が生じるおそれがある。
【００６０】
これに対し、本実施形態の後端遮光羽根部１９ｆは、図１ないし図４から分かるように、３群支持環１９がカム環１７によって光軸方向のいずれの位置に移動された場合でも、カム環１７や該カム環１７の後端部に設けた直進ガイドリング１８よりも常に後方に位置しているため、他の可動部材との干渉が生じることがない。また、３群支持環１９は直進案内環１５よりも内側に位置しており、後端遮光羽根部１９ｆの配置スペースは直進案内環１５の内側領域に収まっているので、スペース効率に優れたコンパクトな遮光構造が得られる。また、後端遮光羽根部１９ｆは３群支持環１９と一体成形されるので製造が容易である。
【００６１】
以上、図示実施形態を説明したが、本発明はこの実施形態に限定されるものではない。例えば、撮影光軸上の位置と撮影光軸から偏心した退避位置との間を移動する第２レンズ群ＬＧ２や第３レンズ群ＬＧ３のような退避光学要素を備えないレンズ鏡筒であっても、本発明は適用が可能である。
【図面の簡単な説明】
【００６２】
【図１】本発明を適用したズームレンズ鏡筒のワイド端撮影状態を示す側断面図である。
【図２】同ズームレンズ鏡筒のテレ端撮影状態を示す側断面図である。
【図３】同ズームレンズ鏡筒のワイド端撮影状態とテレ端撮影状態を同時に示した側断面図である。
【図４】同ズームレンズ鏡筒の収納状態を示す側断面図である。
【図５】同ズームレンズ鏡筒を構成するハウジング、ギヤ進退環、第１繰出筒、直進案内環の分解斜視図である。
【図６】同ズームレンズ鏡筒を構成する１群保持枠、１群調整環、２群保持枠、２群退避枠、２群支持環、３群退避枠、３群支持環の分解斜視図である。
【図７】２群退避枠を保持した状態の２群支持環を斜め下方から見た斜視図である。
【図８】２群退避枠が撮影位置にあるときの２群支持環の正面図である。
【図９】２群回動軸を通る断面で示した２群保持枠、２群退避枠及び２群支持環の断面図である。
【図１０】３群退避枠を保持した状態の３群支持環を斜め下方から見た斜視図である。
【図１１】３群退避枠が撮影位置にあるときの３群支持環の正面図である。
【図１２】３群回動軸を通る断面で示した３群退避枠と３群支持環の断面図である。
【図１３】３群支持環における２群退避カム突起を示す、２群保持枠、２群退避枠及び３群支持環の分解斜視図である。
【図１４】固定ホルダにおける３群退避カム突起を示す、３群レンズ枠と固定ホルダの分解斜視図である。
【図１５】撮影状態（ワイド端）における２群支持環と３群支持環の相対位置関係を示す斜視図である。
【図１６】図１５に１群保持枠と１群調整環を加えた撮影状態（ワイド端）の斜視図である。
【図１７】鏡筒収納状態における２群支持環と３群支持環の相対位置関係を示す斜視図である。
【図１８】図１７に１群保持枠と１群調整環を加えた鏡筒収納状態の斜視図である。
【図１９】２群支持環と下部遮光部材を分解した拡大斜視図である。
【図２０】下部遮光部材を取り付けた状態の２群支持環の拡大斜視図である。
【図２１】下部遮光部材が光線遮断位置から前方に押圧移動され、２群支持環の３群進入開口部に３群退避枠の保持環部が進入した状態を示す拡大斜視図である。
【図２２】２群支持環における下部遮光部材の前方押圧移動状態を、３群退避枠を取り除いて図２１と異なる角度から見た拡大斜視図である。
【図２３】下部遮光部材を取り付けた状態の２群支持環の正面図である。
【図２４】図２３の正面図のうち下部遮光部材の直進案内機構部分付近を拡大した図である。
【図２５】撮影状態での２群支持環に対する下部遮光部材の保持位置を示す、一部を断面とした拡大図である。
【図２６】鏡筒収納状態での２群支持環に対する下部遮光部材の移動位置を示す、一部を断面とした拡大図である。
【図２７】撮影状態での、下部遮光部材の直進ガイド突起を通る断面で示した２群支持環の断面図である。
【図２８】撮影状態での、遮光部材付勢ばねを通る断面で示した２群支持環の断面図である。
【図２９】鏡筒収納状態での、下部遮光部材の直進ガイド突起を通る断面で示した２群支持環の断面図である。
【図３０】鏡筒収納状態での、遮光部材付勢ばねを通る断面で示した２群支持環の断面図である。
【符号の説明】
【００６３】
１１  ズームレンズ鏡筒
１２  ハウジング
１３  ギヤ進退環（回転付与部材）
１４  第１繰出筒（回転付与部材）
１５  直進案内環（回転繰出ガイド環）
１６  第２繰出筒
１７  カム環（回転環、回転進退環）
１８  直進ガイドリング
１９  ３群支持環（不完全環状部材、後方移動環）
１９ａ  部分円筒部（筒状周面部）
１９ｆ  後端遮光羽根部（後端遮光部）
２０  ２群支持環（第２の不完全環状部材、前方移動環）
２０ａ  部分円筒部（筒状周面部）
２０ｆ  直進ガイド溝
２１  １群支持筒（移動環）
２２  ＣＣＤ
２３  固定ホルダ
３０  ４群レンズ枠
３９  ２群保持枠
４０  ２群退避枠
４１  ２群回動軸
４２  ４３  軸支持板
４５  上部遮光部材
４６  下部遮光部材
５０  ３群退避枠
５１  ３群回動軸
５４  ２群退避カム突起
５５  ３群退避カム突起
ＬＧ１  第１レンズ群
ＬＧ２  第２レンズ群
ＬＧ３  第３レンズ群
ＬＧ４  第４レンズ群
ＬＧＦ  ローパスフィルタ
ＺＰ  撮影光軸
【図１】
2008015391.tif 000003
【図２】
2008015391.tif 000004
【図３】
2008015391.tif 000005
【図４】
2008015391.tif 000006
【図５】
2008015391.tif 000007
【図６】
2008015391.tif 000008
【図７】
2008015391.tif 000009
【図８】
2008015391.tif 000010
【図９】
2008015391.tif 000011
【図１０】
2008015391.tif 000012
【図１１】
2008015391.tif 000013
【図１２】
2008015391.tif 000014
【図１３】
2008015391.tif 000015
【図１４】
2008015391.tif 000016
【図１５】
2008015391.tif 000017
【図１６】
2008015391.tif 000018
【図１７】
2008015391.tif 000019
【図１８】
2008015391.tif 000020
【図１９】
2008015391.tif 000021
【図２０】
2008015391.tif 000022
【図２１】
2008015391.tif 000023
【図２２】
2008015391.tif 000024
【図２３】
2008015391.tif 000025
【図２４】
2008015391.tif 000026
【図２５】
2008015391.tif 000027
【図２６】
2008015391.tif 000028
【図２７】
2008015391.tif 000029
【図２８】
2008015391.tif 000030
【図２９】
2008015391.tif 000031
【図３０】
2008015391.tif 000032